(57)【要約】      （修正有）【課題】デジタルフォトフレーム等の計時部を利用して、経時的な統計機能及びその表示機能を備えた表示装置を提供する。【解決手段】経時的な統計機能を備えた表示装置は、データを取得するデータ取得部と表示部、取得されたデータを記憶するデータ記憶部と、データに基づいて、データの経時的統計処理を行う統計処理部と、統計処理部の処理により得られた統計結果を、時間に関連づけて表示部に表示する表示制御部とを含む。【選択図】図１
0003173634.tif 000002
【実用新案登録請求の範囲】
【請求項１】
経時的な統計機能を備えた表示装置。
【請求項２】
データを取得するデータ取得部と表示部、取得されたデータを記憶するデータ記憶部と、前記データに基づいて、データの経時的統計処理を行う統計処理部と、前記統計処理部の処理により得られた統計結果を、時間に関連づけて前記表示部に表示する表示制御部とを含む前記請求項１に記載の表示装置。
【請求項３】
カレンダー表示機能を有し、統計データをグラフとして視覚的に表示するとともにそれにより得られる信号や情報をカレンダー上に表示し、及び／または当該信号に該当する日に特別に表示する前記請求項１または２に記載の表示装置。
【請求項４】
基礎体温をデータとして用い、これを日ごとにグラフ表示し、及び／または排卵日を予測してカレンダー上に表示する前記請求項３に記載の表示装置。
【請求項５】
統計処理機能が外部メモリー及び／またはインターネットからのダウンロードにより更新及び／または変更可能である前記請求項１〜４のいずれかに記載の表示装置。
【請求項６】
デジタルフォトフレームとしての形状を有する前記請求項１〜５のいずれかに記載の表示装置。
【請求項７】
統計データが３次元表示可能な前記請求項１〜６のいずれかに記載の表示装置。
【考案の詳細な説明】
【技術分野】
【０００１】
本考案は、表示装置、より詳しくは経時的な統計機能を備えた表示装置に関する。
【背景技術】
【０００２】
デジタルスチルカメラやデジタルビデオカメラなどのデジタルカメラで撮影した画像をデジタル画像データとして保存し、撮影した画像を表示する装置としてデジタルフォトフレームが知られている。一般にデジタルフォトフレームは、表示時間等を計測する計時部を備え、前記計時部により計測された時間に応じて前記背景画像を切り替え表示する機能を備えている（例えば、特許文献１）。もっとも、日常的に目に触れる場所に置かれることの多いデジタルフォトフレームであるものの、その機能は過去の写真の表示に留まり、現実的には有用性を有しない場合が多い。
【先行技術文献】
【特許文献】
【０００３】
【特許文献１】特開２００９−１４１６７８号公報
【考案の概要】
【考案が解決しようとする課題】
【０００４】
本考案は、デジタルフォトフレーム等の計時部を利用して、経時的な統計機能及びその表示機能を備えたデジタルフォトフレーム等の表示装置を提供することを目的とする。
【課題を解決するための手段】
【０００５】
前記目的に沿う本考案に係る表示装置は、以下の考案を含む。
［１］経時的な統計機能を備えた表示装置。
［２］データを取得するデータ取得部と表示部、取得されたデータを記憶するデータ記憶部と、前記データに基づいて、データの経時的統計処理を行う統計処理部と、前記統計処理部の処理により得られた統計結果を、時間に関連づけて前記表示部に表示する表示制御部とを含む前記［１］記載の表示装置。
［３］カレンダー表示機能を有し、統計データをグラフとして視覚的に表示するとともにそれにより得られる信号や情報をカレンダー上に表示し、及び／または当該信号に該当する日に特別に表示する前記［１］または［２］記載の表示装置。
［４］基礎体温をデータとして用い、これを日ごとにグラフ表示し、及び／または排卵日を予測してカレンダー上に表示する前記［３］記載の表示装置。
［５］統計処理機能が外部メモリー及び／またはインターネットからのダウンロードにより更新及び／または変更可能である前記［１］〜［４］記載の表示装置。
［６］デジタルフォトフレームとしての形状を有する前記［１］〜［５］記載の表示装置。
［７］統計データが３次元表示可能な前記［１］〜［６］記載の表示装置。
【考案の効果】
【０００６】
本考案による表示装置は、経時的な統計データのグラフや情報を表示することができる。また、デジタルフォトフレーム等の形状を有するものであり、身近において有用な情報を提示する装置である。
【図面の簡単な説明】
【０００７】
【図１】本考案による表示装置外観の一態様を示す模式図である。
【考案の実施の形態】
【０００８】
以下、本考案の実施形態について説明する。
本考案は、基本的に経時的な統計機能を備えた表示装置である。ここで、「経時的な統計機能」とは、時間経過に従って数値的に変化する事象を時系列に従って統計処理し、好ましくはさらにその結果から何らかの傾向や信号を取得する機能である。
【０００９】
このような統計機能は無数にあり得るが、その例としては、体重や体温の変化等の個人的統計、投資データにおける様々な統計等の社会的統計、日常的な温度変化等の自然的統計等があり得る。
【００１０】
これらは基本的には時間に対する変数を含むものであるが、時間に対する１種類の変数（データ）である必要はなく、２種以上の変数であってもよい。
【００１１】
このようなデータとしては、上述のように個人的データ、社会的データ、自然的データ等があり、本考案はこれらのすべてを含む。
【００１２】
個人的データとしては、体重、体温、血圧、心拍数、血糖値等の身体関係のデータや所有ポートフォリオの価額変化等の財務データ等が挙げられる。社会的データとしては、典型的には、株価、為替、指数、商品市況等の経済データ等が含まれる。自然的データとしては、典型的には気温・水温等の温度、湿度、気圧等の気象データ、月齢、日の出時刻、日没時刻、南中時刻、潮汐、惑星配置等の天文データ等が含まれる。
【００１３】
統計処理の結果から何らかの傾向や信号を取得する機能も無数にあり、本考案はそれらのすべてを含むが、体温を例として言えば、女性の基礎体温変化における排卵日予測及び妊娠の有無の予想等が挙げられる。すなわち、女性の基礎体温は、一般に生理周期内で「低温期」と「高温期」に分かれた二相性になる。低温期が続く日数は、各人の生理周期の長さによって異なる。低温期から高温期に移行するまで１〜２日で、高温期が２週間前後続く。低温期と高温期の基礎体温の差は0.3〜0.5℃になる。実際には個人差があるため、多少の変動はあるが、低温期の終わり頃の数日〜高温期に入った直後くらいまでのいずれかで排卵が行われていると推定できる。従って、基礎体温の変化をデータとして集積することにより、排卵日を予測することが可能である。
【００１４】
本考案の装置ではこれらの統計データをグラフとして視覚的に表示するとともにそれにより得られる信号や情報をカレンダー上に表示するか当該信号に該当する日に特別に表示する。例えば、カレンダー上でその期間中に、それに応じた表示、例えば、画面やカレンダーの文字や背景色を変えたり、当該日に特別な音楽を流したり、メッセージを表示したり、画像や映像を表示する。
【００１５】
例えば、前述の排卵予想では、カレンダー上に排卵予想ゾーンを文字や背景色の変化によって表示することが可能であり、この予想ゾーン内においては、例えば、表示画面に子どもの写真を表示したり、妊娠に関連したりそれを示唆する映像を流すことが可能である。
【００１６】
また、本考案の装置は、非数値的なデータを参考データとして関連付けすることも可能である。
例えば、体重の場合、最も基本的には、毎日の体重をデータとして入力することにより日付−体重の統計データが得られるが、本考案では１日の食事内容を記述データとしてまたは写真データとして加えることにより、具体的な品目と摂取カロリーを関連付けして示すことも可能である。
【００１７】
投資データにおいても同様であって、例えば、事前に登録した株価や為替、指数の変化を日足、週足で表示したり、移動平均線とともに示したり、投資上のシグナルを表示してもよい。
【００１８】
このような機能を果たすために、本考案の装置は、一般的には、データを取得するデータ取得部と表示部、取得されたデータを記憶するデータ記憶部と、前記データに基づいて、データの経時的統計処理を行う統計処理部と、前記統計処理部の処理により得られた統計結果を、時間に関連づけて前記表示部に表示する表示制御部とを含むことが好ましい。
【００１９】
データを取得するデータ取得部はユーザーがデータを入力するデータ入力手段及び／または自動的にデータを採取するデータ採取手段及び／または他のデータ記憶媒体からデータを取り込むデータ取り込み手段からなる。
【００２０】
データ入力手段は本考案の表示装置本体とは別にキーボードやテンキー等として付属させるものでもよいし、例えば、表示装置の全部または一部がタッチパネルとして機能するものでもよい。これらの手段によるデータの入力は当業者には周知のものである。
【００２１】
また、自動的にデータを採取するデータ採取手段は、温度センサー、気圧センサー等のセンサーをそれ自体に備えたり、例えば、身体に装着するウエラブルセンサーとして取り付けたりして、電波や赤外線等でデータを送信させそれを受信するものでもよいし、ユーザーの身体の一部（例えば、指等）を挿入し、そこからデータ（例えば、血圧、心拍数、血糖値、発汗）を採取するものでもよい。あるいは、インターネット等に接続して様々なデータを一定のサイトや検索により採取するものでもよい。この目的のため、あるいは、後述のプログラム更新・変更のため、本考案の装置はそれ自体か、あるいは何らかの媒介手段を介してインターネットに接続可能であることが好ましい。
【００２２】
データ取り込み手段は、例えば、ＵＳＢ等を通して他の機器（例えば、携帯電話やパソコン、ＵＳＢ出力を有する測定機器）からデータを取り込む方法、各種のデータ記録媒体用のスロット等を有してそこからデータを取り込むものでもよい。また、ＦｅｌｉＣａ等の非接触近接通信または接触式通信によりデータを取り込むものでもよい。さらにまた、例えば、撮影機能を有して画像をデータとして取り込むものでもよい。
【００２３】
前述の基礎体温の例で言えば、本考案の装置が表示画面としてタッチパネルを有する場合は、ユーザーは毎日、例えば起床直後に体温を計測してそれをタッチパネルで入力することもできる。あるいは、本考案の装置の一部またはそれに接続可能なものとして、電子通信機能を有する体温計を用いる場合は、ユーザーは毎日、例えば起床直後に体温を計測し、そのデータが通信機能によりデータ受信される。あるいは、有線または近接通信機能を有する体温計を用いる場合は、ユーザーは毎日、例えば起床直後に体温を計測してそのデータをＵＳＢ端子付ケーブルまたは非接触式近接通信等によりデータとして本考案の装置に入力される。
【００２４】
こうした測定は一時に複数の測定が行われるものでもよい。例えば、腕輪や指輪状の測定装置を外部または付属装置として有する場合、当該腕輪または指輪は、血圧、心拍数、血糖値、酸素飽和度、その他の血中成分を侵襲的または非侵襲的測定することが考えられる。非侵襲的測定手段は例えば、光学的手段によるものである。
【００２５】
表示部は、液晶ディスプレイ、有機ＥＬ(Electro
Luminescence)ディスプレイ、プラズマディスプレイ等、一般に薄型ディスプレイで使用されているものであれば何でもよく、好ましくはタッチパネルとして構成される。基本的に「メニュー」画面と「メニュー」により切り替え可能な様々な表示画面を含む。
【００２６】
切り替え可能な様々な表示画面は、本考案による統計データ表示機能が必須であるほかは特に限定されないが、例えば、日付、時刻、カレンダー（週、月、年）、アラーム等の時間に関する表示、予定表、記念日（これはカレンダーの一部として表示されてもよいし、当該記念日に特別の画像とともに表示されてもよい）、特定の仕事の進行状況、占い、記録または撮影された画像、インターネットの任意のページ、例えば、ポータルサイト、ブログ、Facebookのウォール等が挙げられる。これらの表示画面は、後述するユーザー切り替えや初期設定によって自動的に切り替えられるものでもよいし、表示部に複数が同時に表示されるものでもよい。
【００２７】
「メニュー」としては、上記の切り替え画面の選択、ユーザーの切り替え、統計データの切り替え、初期設定等が挙げられる。メニューの表示方法は様々に可能であり、全部を一括表示してもよいし、ポップアップメニューやプルダウンメニューのような表示でもよい。
【００２８】
データ記憶部は、後述の統計処理部や各種の制御等のワーク領域と共用でもよく単独でもよく、その機能は内部メモリーでもよいし、ＲＡＭなどのメモリーやＨＤＤ（ハードディスクドライブ）等により実現できる。ＵＳＢメモリーやフラッシュメモリー等の交換可能なメモリーでもよい。
【００２９】
前記データに基づいて、データの経時的統計処理を行う統計処理部と、前記統計処理部の処理により得られた統計結果を時間に関連づけて前記表示部に表示する表示制御部は基本的にはＣＰＵ及びプログラムとして構成されるものであり、統計処理及び表示制御のプログラムは、本体内部のＲＯＭに記憶されたものでも、書き換え可能メモリーに記録されたものでも、その他の記録媒体に記録されたものやインターネットからダウンロードし得るものでもよい。統計処理部における処理は相関係数や多変量解析機能等の一般的な統計機能も含むが、本考案においてはそれぞれの機能に応じたプログラムであることが好ましい。
【００３０】
また、表示は様々な形態のグラフを含む。例えば、折れ線グラフ、棒グラフ、散布図、箱ひげ図等の一般的な統計グラフの他、ロウソク足等の特定の部門で用いられるグラフが挙げられる。これらのグラフは通常の表示以外に３次元表示されるものでもよい。これにより多変数の統計データをよりわかりやすく表示できる。
【００３１】
例えば、基礎体温変化を妊娠の支援に使用する場合は、体温を日ごとにグラフ表示する。それとともに、上述のように、生理周期や低温期と高温期の過去の記憶データから低温期の終期を予測し、排卵予想日前後に一定の表示を行う。
【００３２】
これらのプログラムは、装置本体に内蔵するか外部から得ることによってその機能を発揮する。
【００３３】
本考案の装置の具体的形状は特に限定されないが、例えば、図１に示すように、装置本体２の前面には、表示部４、スピーカー６、信号受信部８、及び撮像部１０が設けられている。表示部４は、本考案の統計情報の他、鑑賞用画像や時刻等の情報を電気的に表示し、スピーカー６は、音楽や音声、警告音等を出力する。信号受信部８は、データの受信を電波や赤外線等で行う場合にその信号を受信する。装置本体２の上面には、電源のオン／オフを行う電源スイッチ１２、及び装置本体２の機能設定や表示部４の表示設定の際に操作される操作キー１４が設けられている。また、装置本体２の一方の側面には、画像や音楽等のデータが記録されたメモリーカードが挿入されるメモリーカードスロット１６、ＵＳＢ機器が接続されるＵＳＢポート１８、インターネット等のネットワークに接続する際に用いられるネットワーク端子２０が設けられている。もっとも、本考案の装置はこれらすべてを備えている必要がなく、また、キーボードや近接非接触式入力部位等、上記の図にない装置や部位を有してもよい。
【産業上の利用可能性】
【００３４】
本考案による表示装置は、日常的に身近における形状・形態でありながら、様々な統計機能を有する。例えば、基礎体温の入力により、排卵日予想から妊娠の促進や逆に妊娠の防止を行うこと等ができる。その他、目的に応じて必要なプログラムを導入することによりダイエットや生活習慣病対策等にも利用可能である。また、様々な投資データの管理やシグナルの提示、警告にも利用できる。さらに、複数の人間で切り替えて表示できるため、個人や施設のスケジュール管理にも利用可能である。
【符号の説明】
【００３５】
２…表示装置本体、４…表示部、６…スピーカー、８…信号受信部、１０…撮像部、１２…電源スイッチ、１４…操作キー、１６…メモリーカードスロット、１８…ＵＳＢポート、２０…ネットワーク端子
【図１】
0003173634.tif 000003
【手続補正書】
【提出日】平成23年12月5日(2011.12.5)
【手続補正３】
【補正対象書類名】実用新案登録請求の範囲
【補正対象項目名】全文
【補正方法】変更
【補正の内容】
【実用新案登録請求の範囲】
【請求項１】
データを取得するデータ取得部と表示部、取得されたデータを記憶するデータ記憶部と、前記データに基づいて、データの経時的統計処理を行う統計処理部と、前記統計処理部の処理により得られた統計結果を、時間に関連づけて前記表示部に表示する表示制御部とを含む経時的な統計機能を備えた表示装置。
【請求項２】
カレンダー表示機能を有し、統計データをグラフとして視覚的に表示するとともにそれにより得られる信号や情報をカレンダー上に表示し、及び／または当該信号に該当する日に特別に表示する前記請求項１に記載の表示装置。
【請求項３】
基礎体温をデータとして用い、これを日ごとにグラフ表示し、及び／または排卵日を予測してカレンダー上に表示する前記請求項２に記載の表示装置。
【請求項４】
統計処理機能が外部メモリー及び／またはインターネットからのダウンロードにより更新及び／または変更可能である前記請求項１〜３のいずれかに記載の表示装置。
【請求項５】
デジタルフォトフレームとしての形状を有する前記請求項１〜４のいずれかに記載の表示装置。
【請求項６】
統計データが３次元表示可能な前記請求項１〜５のいずれかに記載の表示装置。